(57)【要約】【課題】遊び心に優れた置物を提供することである。【解決手段】透明又は半透明な素材で構成され、液体２０が充填された液体部１２と、該液体部１２の一部を覆うとともに上下方向に摺動可能なカバー部材１４と、前記液体部１２の上端及び下端それぞれに設けられ、それぞれが前記液体部１２を垂直な状態で支持可能な一対の支持板１６、１８と、を備えた置物であって、前記液体部１２は、上端から中間部に従って先細りに形成された上方部１２Ａと、下端から中間部に従って先細りに形成され、前記上方部１２Aと同形状である下方部１２Ｃと、前記上方部１２Ａと下方部１２Ｃを連通する連通部１２Ｂと、から構成され、前記液体２０よりも比重が軽い無数の粒子２２を充填し、前記カバー部１４は、前記液体部１２の高さの半分の高さを有することを特徴とする。【選択図】図１
2005169639.tif 000002
【特許請求の範囲】
【請求項１】
透明又は半透明な素材で構成され、液体が充填された液体部と、該液体部の一部を覆うとともに上下方向に摺動可能なカバー部材と、前記液体部の上端及び下端それぞれに設けられ、それぞれが前記液体部を垂直状態で支持可能な一対の支持板と、を備えた置物であって、前記液体部は、上端から中間部に従って先細りに形成された上方部と、下端から中間部に従って先細りに形成され、前記上方部と同形状である下方部と、前記上方部と下方部を連通する連通部と、を備えるとともに、前記液体よりも比重が軽い無数の粒子を充填し、前記カバー部は、前記液体部の高さの半分の高さを有することを特徴とする置物。
【請求項２】
前記粒子は、前記上方部の容積以下の容積分充填されていることを特徴とする請求項１記載の置物。
【発明の詳細な説明】
【技術分野】
【０００１】
本発明は、遊び心に優れた置物に関する。
【背景技術】
【０００２】
近年、粒子が上から下に落ちるという通常の砂時計と異なり、粒子が下から上に浮上するという逆砂時計がある（特許文献１）。この特許文献１に記載された逆砂時計は、中間部分が細く形成され、液体とその液体よりも比重が軽い無数の粒子が充填されている液体部を備えている。この液体部に充填された複数の粒子が、その液体よりも比重が軽いため、下から上に浮上し、逆砂時計として機能する。
【０００３】
【特許文献１】ドイツ特許第３８１３７４８号公報
【発明の開示】
【発明が解決しようとする課題】
【０００４】
しかしながら、特許文献１に記載された逆砂時計は、通常の砂時計の作用を逆にしただけであり、専ら時間を計るために利用されるものであるので、遊び心が少なく、通常の置物としての魅力は少ない。
【０００５】
そこで、本発明は、遊び心に優れた置物を提供することを目的とする。
【課題を解決するための手段】
【０００６】
以上の目的を達成するため、本発明は、透明又は半透明な素材で構成され、液体が充填された液体部と、該液体部の一部を覆うとともに上下方向に摺動可能なカバー部材と、前記液体部の上端及び下端それぞれに設けられ、それぞれが前記液体部を垂直状態で支持可能な一対の支持板と、を備えた置物であって、前記液体部は、上端から中間部に従って先細りに形成された上方部と、下端から中間部に従って先細りに形成され、前記上方部と同形状である下方部と、前記上方部と下方部を連通する連通部と、を備えるとともに、前記液体よりも比重が軽い無数の粒子を充填し、前記カバー部は、前記液体部の高さの半分の高さを有することを特徴とする。本発明に係る置物において、前記粒子は、前記上方部の容積以下の容積分充填されていることが好ましい。
【０００７】
以上のように本発明に係る置物によれば、無数の粒子が存する下方部を下側にして、カバー部材を下端側に位置させと、粒子が下方部から連通部を通って上方部に浮上する。下方部に存する粒子が全て上方部に浮上すると、カバー部材を上方に移動させて、カバー部材によって上方部を隠す。次に、上方部が下方に位置するように置物本体を引っくり返して置くことにより、上方部に存する粒子が下方に浮上する。これらを繰り返すことにより、常に炭酸が浮上するシャンパングラスやビアグラスをイメージさせることができる。また、前記液体は、水であっても良いが、低粘性の液体であることが好ましく、油や増粘剤が添加された水溶液などが考えられる。この低粘性の液体の粘度を調整することによって、浮上する粒子の速度を変化させることができ、よりリアルにシャンパングラスやビアグラスをイメージさせることができる。
【発明の効果】
【０００８】
以上のように、本発明に係る置物によれば、遊び心に優れた置物を提供することができる。
【発明を実施するための最良の形態】
【０００９】
次に、本発明に係る置物の実施例について図面に基づいて説明する。図１は、本実施例に係る置物の斜視図であり、図２は、その側面図である。本実施例に係る置物は、板状に形成された置物本体１０と、置物本体１０上端から下端に亘って設けられ、液体が充填された液体部１２と、液体部の一部を覆うとともに上下方向に摺動可能なカバー部材１４と、置物本体１０の上端及び下端それぞれに設けられ、それぞれが置物本体１０を垂直な状態で支持可能な一対の支持板１６、１８と、を備えている。
【００１０】
液体部１２は、透明な素材で構成されており、置物本体１０の正面及び背面から若干突出するように置物本体１０よりも厚みを有している。したがって、正面及び背面から液体部１２内に充填された液体を見ることができる。また、液体部１２は、上端から中間部に従って先細りに形成された上方部１２Ａと、下端から中間部に従って先細りに形成され、上方部１２Ａと同形状である下方部１２Ｃと、上方部と下方部を連通する連通部１２Ｂと、から構成されている。この液体部１２に充填されている液体２０は、低粘性の透明な液体であり、油や増粘剤が添加された水溶液などがある。また、液体部１２には、この液体２０の他に無数の粒子２２が充填されており、この粒子２２は、上方部１２Aの容積以下の容積分充填されている。この粒子２２は、液体２０により比重が軽いものであって、白色に着色された合成樹脂から構成されている。液体部１２の連通部１２Ｂは、粒子２２がスムーズに流動可能な大きさを有する。
【００１１】
カバー部材１４は、置物本体１０及び液体部１２を覆うように帯状に形成されており、液体部１２の高さの半分の高さ、すなわちおよそ上方部１２A又は下方部１２Cの高さと同一の高さを有する。また、カバー部材１４は、置物本体１０及び液体部１２の上下方向に沿って摺動可能に設けられており、カバー部材１４の正面及び背面の中央の上端及び下端には、半円状の突起部２４、２６が形成されている。カバー部材１４は、このように構成されているので、カバー部材１４が液体部１２の下端側に位置するときは、液体部１２の下方部１２Ｃを隠し、液体部１２の上端側に位置するときは、液体部１２の上方部１２Ａを隠すことができる。このため、カバー部材１４によって隠された下方部１２Ｃ又は上方部１２Ａを下方に置くことによって、その隠された下方部１２Ｃ又は上方部１２Ａから粒子２２を浮上させることができ、あたかもシャンパンなどの炭酸が浮上しているように見せることができ、そして、突起部２４及び２６と相俟って液体部１２は、シャンパングラスをイメージさせることができる。
【００１２】
支持板１６、１８の表面には、図１示すように会社名など文字２８などを印刷することが可能であり、これにより本実施例に係る置物を広告物や販促品、特に炭酸水、炭酸清涼飲料、シャンパン又はビールの製造販売を行っている会社の広告物や販促品として利用することができる。  
【００１３】
次に本実施例に係る置物の作用について説明する。先ず、図１に示すように無数の粒子２２が存する下方部１２Ｃを下側にして、カバー部材１４を下端側に位置させと、図３に示すように粒子２２が下方部１２Ｃから連通部１２Ｂを通って上方部１２Ａに浮上する。下方部１２Ｃに存する粒子が全て上方部１２Ａに浮上すると、図４に示すようにカバー部材１４を上方に移動して、カバー部材１４によって上方部１２Ａを隠す。次に、上方部１２Ａが下方に位置するように置物本体１０を引っくり返して置くことにより、上方部１２Ａに存する粒子が下方部１２Ｃに浮上する。これらを繰り返すことにより、常に炭酸が浮上するシャンパングラスやビアグラスをイメージさせることができる。
【００１４】
本実施例に係る置物においては、置物本体及び液体部を板状に形成したが、例えば置物本体を円柱状に形成しても良い。
【図面の簡単な説明】
【００１５】
【図１】本発明に係る置物の実施例の斜視図である。
【図２】本実施例に係る置物の側面図である。
【図３】本実施例に係る置物の使用状態を示す正面図である。
【図４】本実施例に係る置物の使用状態を示す正面図である。
【符号の説明】
【００１６】
１２   液体部
１２Ａ 上方部
１２Ｂ 連通部
１２Ｃ 下方部
１４   カバー部材
１６、１８    支持板
２０   液体
２２   粒子
【図１】
2005169639.tif 000003
【図２】
2005169639.tif 000004
【図３】
2005169639.tif 000005
【図４】
2005169639.tif 000006